(57)【特許請求の範囲】
【請求項１】
シンクブロックの識別情報とともにシンクブロック単位にデータが記録されている記録媒体から、通常再生速度の±２倍の範囲内の速度で再生された再生データを再生基準フレーム信号に同期して処理する装置であって、
前記再生データの前記識別情報を検出するシンクブロック検出手段と、
前記識別情報から、フィールド情報及びフレーム情報を生成するデータ情報生成手段と、
前記再生データを複数フレーム蓄積する第１のメモリ手段と、
前記第１のメモリ手段に蓄積された２フレームのデータを並列に読み出すメモリ読み出し手段と、
メインデータを出力するメインデータ伝送出力端子と、サブデータを出力するサブデータ伝送出力端子とからなる２個の伝送出力端子と、
前記フィールド情報をＬＳＢとし、前記フレーム情報をＭＳＢとした２ビット値の、前記再生基準フレーム信号の1フレーム期間内における変化が、下記（１）〜（５）及び（１２）〜（１４）の場合、前記メモリ読み出し手段が読み出した２個のフレームデータのうち再生時間の古い方を前記メインデータとし、他の場合、再生時間の新しい方を前記メインデータとして前記メインデータ伝送出力端子に出力し、前記２ビット値の、前記再生基準フレーム信号の1フレーム期間内における変化が、下記（１）〜（５）及び（１２）の場合、前記メモリ読み出し手段が読み出した２個のフレームデータのうち、前記再生時間の古い方をサブデータとし、他の場合、前記再生時間の新しい方を前記サブデータとして前記サブデータ伝送出力端子に出力し、前記２個の伝送出力端子から前記再生データのすべてのフレームデータを伝送できるように、２個の伝送データを伝送する伝送手段とを備えた再生信号処理装置。
（１）０あるいは１で変化がない場合、
（２）３から０へ変化した場合、
（３）０から１へ変化した場合、
（４）２から３、０へ変化した場合、
（５）３から０、１へ変化した場合、
（６）２あるいは３で、変化しない場合、
（７）１から２へ変化した場合、
（８）２から３へ変化した場合、
（９）０から１、２へ変化した場合、
（１０）１から２、３と変化した場合、
（１１）０から１，２，３と変化した場合、
（１２）１から２，３，０と変化した場合、
（１３）２から３，０，１へ変化した場合、
（１４）３から０，１，２と変化した場合
【請求項２】
前記伝送手段は、前記２個の伝送データに対し、互いに同一のフレームデータである伝送データのうち前記サブデータに無効データを示すフラグを付加して伝送することを特徴とする請求項１記載の再生信号処理装置。
【発明の詳細な説明】
【０００１】
【発明の属する技術分野】
本発明は、シンクブロックの識別情報とともにシンクブロック単位にデータが記録されている記録媒体から、任意の速度で再生されたデータを処理する再生信号処理装置に関する。
【０００２】
【従来の技術】
ヘリカル走査型のＶＴＲにおいて、所謂ノントラッキング方式による倍速再生、シャトル再生に関する従来例としては特開平９−１３９０１９号公報が知られている。
【０００３】
従来例において、以下のことが開示されている。
（１）２倍速、４倍速再生時は、再生された２フレーム、４フレームのデータから１フレームを間引き出力する。
（２）１倍速までは１フレーム分のデータを伝送し、２倍速では２フレーム、４倍速では４フレーム伝送する。そして伝送時のデータの構成は記録時の順番に並べ替え倍速に応じたデータ量を伝送する。
【０００４】
【発明が解決しようとする課題】
しかし、上述の従来例では下記の様な課題がある。
（１）出力データは再生された全てのデータを含んでいないため、出力データをうけて、任意の倍速で動きがスムースな再生画像を得ることができない。
（２）任意の再生速度に対し、記録の順番通りにデータを並べることは困難である。すなわち任意の再生速度で再生されたデータの伝送は困難である。
【０００５】
【課題を解決するための手段】
このような課題を解決するために、本発明の再生信号処理装置は、再生データの識別情報を検出するシンクブロック検出手段と、識別情報から、フィールド情報及びフレーム情報を生成するデータ情報生成手段と、再生データを複数フレーム記憶する第１のメモリ手段と、識別情報に基づいて、再生データを第１のメモリ手段に書き込むアドレスを決定し再生データをアドレスに書き込むメモリ書き込み手段と、第１のメモリ手段に蓄積されたｎ（ｎはα≦ｎを満たす２以上の整数）フレームのデータを並列に読み出すメモリ読み出し手段と、フィールド情報及びフレーム情報の変化、並びにαの値に基づいて、ｎ個の伝送出力端子の各々に対し、メモリ読み出し手段が読み出したｎ個のフレームデータのうちいずれかを選択して出力することでｎ個の伝送データを伝送する伝送手段を具備する。
【０００７】
【発明の実施の形態】
以下、本発明の実施の形態について、図を用いて説明する。
【０００８】
（実施の形態１）
図１は、本発明の実施の形態１による再生信号伝送装置の構成を示すブロック図である。本実施の形態では、通常再生速度の±２倍（ｎ＝２）の範囲内の任意のα倍速（α≦ｎを満たす実数）で再生されたデータを伝送する場合のものである。
【０００９】
図１において、再生データ１００は、ヘリカル走査型のＶＴＲにおいて、所謂ノントラッキング方式により±２倍速内の任意のα倍速で再生されたデータである。あるいは、再生データ１００は、ディスク装置に上述の様に再生されたデータを一旦記録し、そのディスク装置から再生されたデータである。そして、再生データ１００は所定長のシンクブロック単位に、そのシンクブロックの識別情報が付加されている。
【００１０】
シンクブロック検出回路１０１は再生データ１００のシンク信号を検出し、識別情報１０２を検出し出力する。識別情報１０２はシンクブロック番号とトラック番号で構成される。トラック番号はアウター訂正符号エンコード時の単位でもある。
【００１１】
シンク信号が検出されたデータは、インナー訂正回路１０３でインナー誤り訂正される。メモリ書き込み回路１０４は識別情報１０２を用いて、データの書込みアドレスを決め、インナー誤り訂正されたデータを第１のメモリ１０５に蓄積する。
【００１２】
データ情報生成回路１０６は識別情報１０２から、メモリ１０５への蓄積状況であるデータ情報１０８を出力する。データ情報１０８は、トラック情報、フィールド情報、フレーム情報で構成される。
【００１３】
＜トラック情報の生成＞
トラック情報の生成は、トラック番号に基づき決まる。しかし、再生データ１００は常にトラッキングされたデータとは限らないため異なるトラック番号が連続して再生されてくることがある。
【００１４】
よって、識別情報１０２のトラック番号をそのままトラック情報とすると、メモリ１０５に蓄積し終わったデータがどのトラック番号を持つものなのか正確に判別できない。
【００１５】
そこで、１倍速で再生した時に１つのトラック番号を再生するのに要する時間（以後、ヘッドスイッチ時間と言う）の最後に検出したトラック番号を１ヘッドスイッチ時間前のトラック情報と比較する。
【００１６】
トラック情報は、ノントラッキング状態で連続して再生されるトラック番号が２種類の場合で、順方向再生（＋再生）の場合、トラック情報はヘッドスイッチ時間の最後に検出したトラック番号から補正値２を引いた値とする。補正値が２である理由は、２種類のトラック番号が１ヘッドスイッチ時間に再生される場合、それらのトラック番号を持つデータもまだ完全に蓄積されていない。すなわち、現トラック番号から２つ離れたトラックまでが完全に蓄積されていることになる。
【００１７】
そのため、１ヘッドスイッチ時間前のトラック情報とヘッドスイッチ時間の最後に検出したトラック番号から２を引いた値を比較し、大きい方の値を新しいトラック情報として更新する。
【００１８】
逆方向再生（−再生）の場合は、１ヘッドスイッチ時間前のトラック情報とヘッドスイッチ時間の最後に検出したトラック番号に補正値２を加えた値を比較し、小さい方の値を新しいトラック情報として更新する。
【００１９】
以下、図２を参照してデータ情報生成回路１０６がトラック情報を生成するアルゴリズムを説明する。
【００２０】
Ｓｔｅｐ２００で、シンクブロック検出回路１０１が検出した識別情報１０２をヘッドスイッチ時間の最後でラッチする。すなわち、トラック番号（ＴＮ）をラッチする。
【００２１】
Ｓｔｅｐ２０１で、データ再生方向に応じて、ラッチしたトラック番号を以下の様に補正し、補正トラック番号（ＣＴＮ）を生成する。
【００２２】
（１）正方向再生の場合、
補正トラック番号＝トラック番号−２（補正値）
但し、トラック番号が１のとき、補正トラック番号は９
トラック番号が２のとき、補正トラック番号は１０とする。
【００２３】
（２）負方向再生の場合、
補正トラック番号＝トラック番号＋２（補正値）
但し、トラック番号が９のとき、補正トラック番号は１
トラック番号が１０のとき、補正トラック番号は２とする。
【００２４】
Ｓｔｅｐ２０２で、補正トラック番号と、１ヘッドスィッチ時間前のデータ情報１０８のトラック情報を以下の様に比較する。
【００２５】
（１）正方向再生の場合、
補正トラック番号が１および２のとき
（補正トラック番号＋１０）＞１フレーム前のトラック情報
補正トラック番号が２〜１０のとき
補正トラック番号＞１フレーム前のトラック情報
上記の条件が成立すればＳｔｅｐ２０３へ進み、補正トラック番号をトラック情報として更新する。
【００２６】
不成立の時は、トラック情報の更新を行わずＳｔｅｐ２００へ進む
（２）負方向再生の場合、
補正トラック番号が１〜８のとき
補正トラック番号＜１フレーム前のトラック情報
補正トラック番号が９あるい１０のとき
補正トラック番号＜（１フレーム前のトラック情報＋１０）
上記の条件が成立すればＳｔｅｐ２０３へ進み、補正トラック番号をトラック情報として更新する。
【００２７】
不成立の時は、トラック情報の更新を行わずＳｔｅｐ２００へ進む
＜フィールド情報の生成＞
次に、フィールド情報の生成は、トラック情報から図３のアルゴリズムに従って行われる。１フレームのデータが１０本のトラック（トラック番号が１から１０まで）で記録されている場合、正方向では、トラック情報が１から５までは、１フレームデータの前フィールド蓄積中である。トラック情報が６から１０までは、後フィールドが蓄積中である。フィールド情報は、前フィールド蓄積中はロー（Ｌｏｗ）、後フィールド蓄積中はハイ（Ｈｉｇｈ）とする。
【００２８】
以下、図３を参照して、データ情報生成回路１０６がデータ情報１０８のフィールド情報を生成するアルゴリズムを説明する。
【００２９】
Ｓｔｅｐ３００でデータ情報１０８のトラック情報をモニタする。
【００３０】
Ｓｔｅｐ３０１で、モニタしたトラック情報が１〜５の値か、６〜１０の値かを判別する。
（１）正方向再生で、トラック情報が１〜５あるいは負方向再生でトラック情報が６〜１０の場合、ステップ３０２に進み、フィールド情報をローレベルとする。
（２）正方向再生で、トラック情報が６〜１０の場合、あるいは負方向再生でトラック情報が１〜５の場合、ステップ３０３へ進み、フィールド情報をハイレベルとする。
【００３１】
なお、ここで示したアルゴリズムは、１フレームデータが１０本のトラックの場合であるが、１２本や２０本等、他の場合でも同様に生成することは可能である。
【００３２】
＜フレーム情報の生成＞
次に、フレーム情報の生成は、上記フィールド情報から図４のアルゴリズムに従って行われる。ｎフレームのデータがメモリ１０５に蓄積されたかどうか判別し行う。
【００３３】
以下、図４を参照して、データ情報生成回路１０６がフレーム情報を生成するアルゴリズムを説明する。
【００３４】
Ｓｔｅｐ４００で、データ情報１０８のフィールド情報をモニタする。すなわち、フィールド情報が１周期したかどうか、すなわちＨｉｇｈからＬｏｗに変化したかをモニタする。
【００３５】
Ｓｔｅｐ４０１で、 フィールド情報が１周期したことが判定されると、Ｓｔｅｐ４０２で、フレーム情報をカウントアップする。そして、このカウント値がｎの場合は、０にリセットする。
【００３６】
よって、フレーム情報は、０〜ｎ−１の値を示すことになる。
【００３７】
フィールド情報が１周期したことが判定されなかった場合は、Ｓｔｅｐ４００に戻りフィールド情報のモニタを続ける。
【００３８】
図５は実施の形態１におけるα＝０．９の場合のデータ情報を生成するタイミングチャートである。
【００３９】
図５中の（ａ）はヘッドスイッチング時間（Ｔｓｗ）を示す信号、（ｂ）は識別情報１０２のトラック番号、（ｃ）はデータ情報１０８のトラック情報、（ｄ）はデータ情報１０８のフィールド情報、（ｅ）はデータ情報１０８のフレーム情報である。
【００４０】
図５の（ｂ）、（ｃ）における英数字はトラック番号を示しており、“ａ”はトラック番号が１０であることを示している。図５の（ｅ）での数字はフレーム情報の値を示している。
【００４１】
トラック番号は、例えばシンクブロック毎に検出されるので、トラックに対するヘッド走査の関係で、途中から変化する場合がある。
【００４２】
α＝０．９の場合、１フレーム分のデータを再生する間に、少なくとも１つのトラック番号が、異なるヘッドスイッチ時間で再生される可能性がある。図５の（ｂ）では、トラック番号８と９が異なるヘッドスイッチ時間に出力されている。
【００４３】
それに伴い、トラック情報、フィールド情報、フレーム情報は変化する。
【００４４】
そして、メモリ１０５に蓄積されたデータは、アウター訂正回路１０７でアウター訂正される。この訂正されるデータはトラック情報により決まる。その後、アウター訂正されたデータがメモリ１０５に２フレーム分蓄積されれば、メモリ読み出し回路１０９は新しい２フレームのデータを読み出すことができる。
【００４５】
２フレームのデータが分蓄積されたかどうかはデータ情報１０８のフレーム情報の変化に基づき判断する。読み出しデータは、データ情報１０８のフレーム情報が２フレーム分のデータが蓄積したことを示した次のフレーム信号に同期して切り替わる。読み出しデータは２つのフレームデータの内、再生時間が古い方がデータ１１０と新しい方がデータ１１１として出力される。
【００４６】
図６に実施の形態１おけるデータ情報とメモリ読み出し回路が読み出すフレームデータのタイミングチャートを示す。
【００４７】
図６中の（ａ）は再生基準フレーム信号、（ｂ）はシンクブロック検出回路１０２に入力される再生データ１００、（ｃ）はデータ情報１０８のフレーム情報、（ｄ）はメモリ読み出し回路１０９が読み出したフレームデータ１１０、（ｅ）はメモリ読み出し回路１０９が読み出したフレームデータ１１１である。
【００４８】
図６の（ｂ）、（ｄ）、（ｅ）におけるアルファベットはフレームに付けた記号であり、アルファベット順はＶＴＲに記録され順番である。
【００４９】
上記の様に読み出された２つのフレームデータ１１０、１１１は、伝送回路１１２でデータ情報１０８のフィールド情報とフレーム情報をもとに、メインデータ、サブデータに再構成される。そして、メインデータは伝送出力端子１１３に出力され、サブデータは端子１１４に出力され、伝送される。
【００５０】
伝送回路１１２は、メインデータだけを伝送してもα倍で再生したデータの内多くのフレームデータを伝送することができるように再構成する。
【００５１】
αが１．０以下の場合、フレームデータ１１０、１１１をメインデータとして伝送できるように再構成が行われる。
【００５２】
再構成は、再生基準フレーム信号の１フレーム期間内で、データ情報１０８のフィールド情報をＬＳＢ、フレーム情報をＭＳＢとした２ビットの値とその変化に基づき行われる。
【００５３】
２ビットの値の変化が以下の場合、フレームデータ１１０がメイン、サブデータの両方に出される。この時、サブデータはメインデータと同じデータなので、無効データを示すフラグが付けられる。
【００５４】
（１）０あるいは１で変化がない場合、
（２）３から０へ変化した場合、
（３）０から１へ変化した場合、
（４）２から３、０へ変化した場合、
（５）３から０、１へ変化した場合。
【００５５】
また、以下の様に変化した場合は、フレームデータ１１１がメイン、サブデータの両方に出される。この時、サブデータはメインデータと同じデータなので、無効データを示すフラグが付けられる。
【００５６】
（６）２あるいは３で、変化しない場合、
（７）１から２へ変化した場合、
（８）２から３へ変化した場合、
（９）０から１、２へ変化した場合、
（１０）１から２、３と変化した場合。
【００５７】
図７に実施の形態１におけるα＝０．９の場合のデータ再構成のタイミングチャートを示す。
【００５８】
図７中の（ａ）は再生基準フレーム信号、（ｂ）はデータ情報のフィールド情報、（ｃ）はデータ情報のフレーム情報、（ｄ）はフレームデータ１１０、（ｅ）はフレームデータ１１１、（ｆ）はメインデータ出力端子１１３からの出力データ、（ｇ）はサブデータ出力端子１１４からの出力データである。
【００５９】
以上、α＝０．９の場合のデータの再構成を説明したが、図８に実施の形態１におけるα＝１．５の場合のデータ再構成のタイミングチャートを示す。
αが１．０より大きい場合、２ビットの変化が、α≦１．０の場合に加えて、
（１１）０から１，２，３と変化した場合、フレームデータ１１１がメイン、サブデータの両方に出される。
【００６０】
この場合も、サブデータはメインデータと同じデータなので、無効データを示すフラグが付けられる。
【００６１】
（１２）１から２，３，０と変化した場合、フレームデータ１１０がメイン、サブデータの両方に出される。
【００６２】
この場合も、サブデータはメインデータと同じデータなので無効データを示すフラグをつける。
【００６３】
（１３）２から３，０，１へ変化した場合、あるいは
（１４）３から０，１，２と変化した場合、
フレームデータ１１０がメインデータ伝送端子１１３に、フレームデータ１１１はサブデータ伝送端子１１４に出力される。これらの場合、メイン、サブデータはお互い異なるので、どちらにも有効データを示すフラグが付けられる。
【００６４】
以上の様にすることで、±２倍以内の任意の速度αで再生したデータを伝送レートを変えることなく、すべて伝送することができる。また、メインとなるデータだけを伝送しても再生データの多くを伝送することができる。
【００６５】
即ち、フィールド情報（１ビット）とフレーム情報（ｎ通りであり、ｎ＝２の場合は１ビット）の変化の状態から、データの蓄積状況の判断と蓄積を予測することができる。そして、再生基準フレーム信号に同期して、出力すべき（出力可能な）フレームデータを判断することができるので、α倍速でのデータをすべて伝送するための再構成を行うことができる。
【００６６】
なお、実施の形態１においては、ｎ＝２の場合について説明したが、ｎ＝４や８の２以上の整数であれば同様の考え方の延長で伝送データを再構成することができる。
【００６７】
（実施の形態２）
図９は本発明の実施の形態２における再生信号処理装置の構成を示すブロック図である。本実施の形態は、ｎ＝２の場合のものであり、図１と同じ符号のものについては説明を省略する。
【００６８】
以下、本実施の形態の再生信号処理装置の再生動作について説明する。
【００６９】
再生データ１００が入力され、メモリ読み出し回路１０９が２フレームデータを読み出すまでは実施の形態１と同じであるため説明は省略する。
【００７０】
メモリ読み出し回路１０９が読み出した２つのフレームデータの内、読み出した再生時間が古い方のデータ１１０と新しい方のデータ１１１は遅延回路９００に入力される。
【００７１】
遅延回路９００はデータを１フレーム遅延させるＦＩＦＯ９０１、９０２、９０３，９０４，９０５より構成されている。データ１１０はＦＩＦＯ９０１に入力され、ＦＩＦＯ９０１の出力はＦＩＦＯ９０２に入力される。データ１１１はＦＩＦＯ９０３に入力され、その出力はＦＩＦＯ９０４に入力される。そしてＦＩＦＯ９０４の出力はＦＩＦＯ９０５に入力される。
【００７２】
再生出力制御回路９１３は入力端子Ｓ１，Ｓ２，Ｓ３，Ｓ４，Ｓ５，Ｓ６，Ｓ７を有している。端子Ｓ３にメモリ読み出し回路から出力されたデータ１１０が入力される。端子Ｓ２、Ｓ１各々には、ＦＩＦＯ９０１、９０２の出力データが入力される。また、端子Ｓ７にメモリ読み出し回路から出力されたデータ１１１が入力さる。端子Ｓ６、Ｓ５、Ｓ４各々に、ＦＩＦＯ９０３、９０４、９０５の出力データが入力される。
【００７３】
そして、再生出力制御回路９１３は、データ情報１０８のフィールド情報とフレーム情報を用いて端子Ｓ１〜Ｓ７に入力されたデータを選択し、出力端子９１４に出力する。
【００７４】
再生出力制御回路９１３は、直近の再生基準フレーム期間（Ｔm-1）におけるデータ情報（ＤＩm-1）と更に１フレーム前のフレーム期間（Ｔm-2）のデータ情報（ＤＩm-2）に基づき、出力するデータを選択する。詳細には、データ情報のフィールド情報をＬＳＢとし、フレーム情報をＭＳＢとした２ビットの値に基づき、（１）再生基準フレーム期間での初期の２ビットの値（初期値）と、（２）その期間内あるいは、その期間の前半及び後半期間内での２ビットの値の変化回数により、出力するデータが選択される。
【００７５】
具体的には、図１０に示すように選択される。例えば、（１）Ｔm-1における２ビットの変化回数が１回、変化位置が前半フィールド、初期値が０であり、そして（２）Ｔm-2における変化数が０回、初期値が０の場合は、（Ｓ２，Ｓ３）すなわち前半フィールドは端子Ｓ１、後半フィールドは端子Ｓ３に入力されたデータが選択される。
【００７６】
例えば、図１０にしたがって、α＝１．５で再生した場合のタイミングチャートを図１１に示す。図１１は実施の形態２におけるフィールド再生のタイミングチャートである。
【００７７】
図１１中の（ａ）は再生基準フレーム信号、（ｂ）はデータ情報１０８のフィールド情報、（ｃ）はデータ情報１０８のフレーム情報、（ｄ）は直近のフレーム期間（Ｔm-1）でのデータ情報１０８の変化結果、（ｅ）はもう１フレーム前（Ｔm-2）でのデータ情報１０８の変化結果、（ｆ）はフレームデータ１１０、（ｇ）はフレームデータ１１１である。そして（ｈ）は再生出力制御回路９１３が（ｄ）、（ｅ）をもとに、図１０にしたがって選択する制御回路９１３の入力端子である。また（ｉ）は映像出力端子９１４から出力される映像データである。
【００７８】
図１１の（ｄ）と（ｅ）において、例えば“０−３”の表記は、１フレームの先頭でデータ情報のフィールド情報とフレーム情報の状態が０から始まり（初期値）、１フレーム間の変化数が３回であることを示している。また、（ｉ）における、たとえば“ｃ−１”はフレームデータｃの第１フィールド（前半フィールド）を意味し、この“１”が“２”の場合は第２フィールド（後半フィールド）を意味する。
【００７９】
以上の様に±２倍以内の任意の速度αで再生したデータを再構成することにより、動きがスムーズなフィールドスロー再生、フィールド倍速再生できる。
【００８０】
なお、実施の形態２においては、ｎ＝２の場合について説明したが、ｎは、４や８等の２以上の整数であれば、同様の考え方の延長でスムーズなフィールド再生をすることができる。また、図１０とは異なるフィールド出力の選択の仕方もある。
【００８１】
（実施の形態３）
図１２は本発明の実施の形態３による再生信号処理装置の構成を示すブロック図である。本実施の形態は、ｎ＝２の場合のものであり、図１と同じ符号のものについては説明を省略する。
【００８２】
以下、本実施の形態による再生信号処理装置の再生動作について説明する。
【００８３】
再生データ１００が入力され、メモリ読み出し回路１０９が２フレームデータを読み出すまでは、実施の形態１と同じであるため説明は省略する。
【００８４】
メモリ読み出し回路１０９が読み出した２フレームのデータの内、再生時間が古い方の読み出しデータ１１０はメモリ１１０１、新しい方の読み出しデータ１１１はメモリ１１０２に書き込まれる。尚、メモリ１１０１と１１０２は第２のメモリ１１００を構成している。メモリ１１０１、１１０２は最低３フレームデータを蓄積できる容量を持つ。そして、それらは１フレームごとに独立した領域に書き込まれるようなマップされる。メモリ１１０１、１１０２への書き込みは、上位アドレス信号１１０４によりメモリマップの領域を再生基準フレームの１フレーム毎に制御し、入力されるフレームデータは２フレーム遅延される。例えば、メモリ１１０１、１１０２は、３フレームのデータを蓄積できる容量を持っている場合、メモリのアドレスの上位２ビットがメモリの３つの領域を示すようにマップする。
【００８５】
メモリー１１００からの読み出しは、再生出力制御回路１１０３がデータ情報１０８のフィールド情報とフレーム情報を用いてどのフィールドデータを出力するかを制御し、映像出力端子１１０６にデータをフィールド単位で出力する。
【００８６】
再生出力制御回路１１０３は、実施の形態２で説明した制御回路９１３と同様にデータ情報に基づき、メモリ１１００からのデータ読み出しを制御する。すなわち再生出力制御回路９１３は、直近の再生基準フレーム期間（Ｔm-1）より1フレーム前のフレーム期間（Ｔm-2）におけるデータ情報（ＤＩm-2）と更に１フレーム前のフレーム期間（Ｔm-3）のデータ情報（ＤＩm-3）に基づき、出力するデータを選択する。
【００８７】
詳細には、データ情報のフィールド情報をLSBとし、フレーム情報をMSBよりなる２ビットの値に基づき、（１）再生基準フレーム期間での初期の２ビットの値（初期値）と、（２）その期間内あるいは、その期間の前半及び後半期間内での２ビットの値の変化回数により、メモリ１１００からのデータの読み出しを制御する。１フレーム前と２フレーム前のデータ情報を用いる理由は、メモリ１１００にデータを書き込むためには１フレーム時間が要するためである。
【００８８】
具体的なメモリ１１００からのデータの読み出し制御は図１３に示すように行われる。
【００８９】
図１３において、例えば“Ｆ１−１，Ｓ２−１”の表記は、前側の“Ｆ１−１”は再生基準フレームの前半フィールド時間にメモリ１１００から読み出すフィールドデータ、後側の“Ｓ２−１”は後半フィールド時間に読み出すフィールドデータを表している。そして、“Ｆ”はメモリ１１０１、“Ｓ”はメモリ１１０２からの出力を意味し、“Ｆ”及び“Ｓ”の後の“１”は１フレーム遅延、２は２フレーム遅延されたデータを意味しする更にハイフン（−）の後の“１”は前半フィールド、この“１”が“２”の場合は後半フィールドを意味する。
【００９０】
例えば、図１３にしたがって、実施の形態３におけるα＝１．５場合のフィールド再生のタイミングチャートを図１４に示す。
【００９１】
図１４中の（ａ）は再生基準フレーム信号、（ｂ）はデータ情報１０８のフィールド情報、（ｃ）はデータ情報１０８のフレーム情報、（ｄ）１フレーム前のデータ情報１０８の変化結果、（ｅ）は２フレーム前のデータ情報１０８の変化結果、（ｆ）はフレームデータ１１０、（ｇ）はフレームデータ１１１、（ｈ）はメモリ１１０１の１フレーム遅延データ、（ｉ）はメモリ１１０１の２フレーム遅延データ、（ｊ）はメモリ１１０２の１フレーム遅延データ、（ｋ）はメモリ１１０２の２フレーム遅延データである。そして（ｌ）は再生出力制御回路１１０３が（ｄ）、（ｅ）をもとに図１３にしたがって読み出す遅延データ、（ｍ）は映像出力端子１１０６から出力される映像データである。
【００９２】
図１４の（ｄ）と（ｅ）における例えば“１−３”は、変化回数が１回で初期値が３であることを表している。
【００９３】
以上の様に±２倍以内の任意の速度αで再生したデータを再構成することにより動きがスムーズなフィールドスロー再生、フィールド倍速再生できる。
【００９４】
なお、実施の形態３においては、ｎ＝２の場合について説明したが、ｎは、４や８等の２以上の整数であれば、同様の考え方の延長でスムーズなフィールド再生をすることができる。また、再生出力制御回路１１０３の読み出しの仕方は図１３に示すものとは限らない。
【００９５】
（実施の形態４）
図１５は本発明の実施の形態４における再生信号処理装置の構成を示すブロック図である。本実施の形態は、ｎ＝４の場合のものであり、図１、１２と同じ符号のものについては説明を省略する。
【００９６】
以下、本実施の形態による再生信号処理装置の動作について説明する。
【００９７】
再生データ１００が入力され、メモリ読み出し回路１０９が４フレームデータを読み出し、メモリ１１００に蓄積するまでは実施の形態３と同じであるため説明は省略する。
【００９８】
メモリ１１００は４つのメモリ１１０７，１１０８，１１０９，１１１０より構成されている。また本実施の形態におけるメモリ読み出し回路１０９は、メモリ１０５に４フレームのデータが蓄積された場合、再生時間が一番古いフレームデータ１５００、２番目に古いフレームデータ１５０１、３番目に古いフレームデータ１５０２と再生時間が１番新しいフレームデータ１５０３を出力する
メモリ読み出し回路１０９が読み出した４つのフレームデータ１５００、１５０１、１５０２，１５０３各々は、メモリ１１０７，１１０８，１１０９，１１１０で１フレームおよび２フレーム遅延できるように制御される。
【００９９】
伝送回路１５０４はデータ情報１０８のフィールド情報とフレーム情報をもとに遅延した８つのデータの中から１もしくは２つのフレームデータを読み出す。本実施の形態では２つのフレームデータ１５０５，１５０６を読み出し、それらを再構成して、２つの伝送出力端子１５０７、１５０８から伝送する。
【０１００】
再構成は、データ情報１０８のフィールド情報をＬＳＢ、フレーム情報をＭＳＢ側の２ビットとした３ビットの変化に基づき行い、実施の形態３での考え方の延長で行う。実施の形態３では再生出力するフィールドをデータ情報１０８の変化に基づいて決めているが、本発明では出力したいフィールドを含むフレームデータを読み出す。
【０１０１】
図１６にα＝３の場合に伝送回路１５０４が再構成するタイミングチャートを示す。
【０１０２】
図１６中の（ａ）は再生基準フレーム信号、（ｂ）は３ビットのデータ情報（フレーム情報：２ビット、フィールド情報：1ビット）、（ｃ）１フレーム前（Ｔm-1）のデータ情報１０８の変化の観測結果、（ｄ）は２フレーム前（Ｔm-2）のデータ情報１０８の変化の観測結果、（ｅ）はフレームデータ１５００、（ｆ）はフレームデータ１５０１、（ｇ）はフレームデータ１５０２、（ｈ）はフレームデータ１５０３である。そして、（ｉ）（ｊ）は伝送回路１５０４が（ｃ）、（ｄ）をもとにメモリ１１００から読み出す遅延したフレームデータ１５０５、１５０６（ｋ）はフィールド再生出力する場合に、メモリ１１００から読み出すフィールドデータ、（ｌ）はフィールド再生出力する場合の実際のフィールドデータ、（ｍ）メインデータ伝送出力端子１５０７、（ｎ）サブデータ伝送出力端子１５０８からの出力データである。
【０１０３】
図１６の（ｉ），（ｊ）、（ｋ）において、“Ａ”はメモリ１１０７、“Ｂ”はメモリ１１０８、“Ｃ”はメモリ１１０９、“Ｄ”はメモリ１１１０で遅延されたデータであることを表している。そして、例えば“Ａ１”の“１”は１フレーム遅延されたデータであり、この“１”が“２”の場合は２フレーム遅延されたデータを表す。また、（ｋ）において、ハイフォン（−）の後の“１”は第１フィールド（前半フィールド）、“２”は第２フィールド（後半フィールド）であることを表す。図１６（ｃ）と（ｄ）において、例えば“３−６”の“３”は、１フレームの先頭でデータ情報のフィールド情報とフレーム情報の状態が３から始まり（初期値）、“６”は１フレーム間に６回の変化をしたこと（変化数）を表す。
【０１０４】
以上の様にすることで、±４倍以内の任意の速度αで再生したデータを２フレームのデータに再構築して伝送することで、伝送レートも少なく且、受信側で動きがスムーズなフィールドスロー再生、フィールド倍速再生ができる。
【０１０５】
また、ｎ＝４以外の場合でも、２フレームデータに再構築して伝送することで受信側で、動きがスムーズなフィールドスロー再生、フィールド倍速再生できる。
【０１０６】
【発明の効果】
本発明の再生信号処理装置によれば、±ｎ倍までの範囲の任意の速度αで再生されたデータを、メモリでの蓄積状況（再生状況）に応じて再構成することで、再生されたデータすべて伝送することができる。また、±ｎ倍までの範囲の任意の速度αで再生したデータを、蓄積状況（再生状況）に応じて、適宜切換制御をすることで、動きがスムーズなフィールドスロー再生、フィールド倍速再生できる。また、±ｎ倍までの範囲の任意の速度αで再生したデータを、蓄積状況（再生状況）に応じて再構成することで、再生されたすべてのデータを伝送せずとも受信側でスムーズなフィールドスロー再生、フィールド倍速再生できる。
【図面の簡単な説明】
【図１】  本発明の実施の形態１における再生信号処理装置の構成を示すブロック図
【図２】  実施の形態１におけるトラック情報の生成アルゴリズムを示すフローチャート
【図３】  実施の形態１におけるフィールド情報の生成アルゴリズムを示すフローチャート
【図４】  実施の形態１におけるフレーム情報の生成アルゴリズムを示すフローチャート
【図５】  実施の形態１におけるα＝０．９の場合のデータ情報を生成するタイミングチャート
【図６】  実施の形態１おけるデータ情報とメモリ読み出し回路が読み出すフレームデータのタイミングチャート
【図７】  実施の形態１におけるα＝０．９の場合のデータ再構成のタイミングチャート
【図８】  実施の形態１におけるα＝１．５の場合のデータ再構成のタイミングチャート
【図９】  本発明の実施の形態２における再生信号処理装置の構成を示すブロック図
【図１０】  実施の形態２における出力制御の動作説明図
【図１１】  実施の形態２におけるフィールド再生のタイミングチャート
【図１２】  本発明の実施の形態３による再生信号処理装置の構成を示すブロック図
【図１３】  実施の形態３における出力制御の動作説明図
【図１４】  実施の形態３におけるα＝１．５の場合のフィールド再生のタイミングチャート
【図１５】  本発明の実施の形態４における再生信号処理装置の構成を示すブロック図
【図１６】  実施の形態４におけるα＝３．０の場合のデータ再構成のタイミングチャート
【符号の説明】
１０１  シンクブロック検出回路（シンクブロック検出手段）
１０４  メモリ書き込み回路（メモリ書き込み手段）
１０５  第1のメモリ(第1のメモリ手段）
１０６  データ情報作成回路（データ情報作成手段）
１０９  メモリ読み出し回路（メモリ読み出し手段）
１１２  伝送回路（伝送手段）
９００  遅延回路（遅延手段）
９１３  再生出力制御回路（再生出力制御手段）
１１００  第２のメモリ(第２のメモリ手段）
１１０３  再生出力制御回路（再生出力制御手段）
１５０４  伝送回路（伝送手段）
【図１】
0003956699.tif 000002
【図２】
0003956699.tif 000003
【図３】
0003956699.tif 000004
【図４】
0003956699.tif 000005
【図５】
0003956699.tif 000006
【図６】
0003956699.tif 000007
【図７】
0003956699.tif 000008
【図８】
0003956699.tif 000009
【図９】
0003956699.tif 000010
【図１０】
0003956699.tif 000011
【図１１】
0003956699.tif 000012
【図１２】
0003956699.tif 000013
【図１３】
0003956699.tif 000014
【図１４】
0003956699.tif 000015
【図１５】
0003956699.tif 000016
【図１６】
0003956699.tif 000017